(57)【要約】【課題】印刷物の作成が手軽に行えるようにする。【解決手段】街頭における施設に備えられる印刷物作成装置と、印刷物作成装置及び端末装置と通信を行うサーバ装置とを備る印刷物作成システムにおいて、サーバ装置は、端末装置によりアップロードされた印刷データを取得し、印刷データを印刷して得られる印刷物を引き取るユーザの認証に用いられる認証情報を取得し、印刷物作成装置に入力されたユーザキー情報と認証情報とを利用して認証処理を行う。印刷物作成装置は、サーバ装置から取得した印刷データを用紙に印刷する印刷装置と、印刷装置により印刷された用紙を用いた印刷物を格納する印刷物格納装置と、認証が成立すれば、ユーザが印刷物格納装置に格納された印刷物を引き取り可能なように制御する引取対応制御部とを備えて構成する。【選択図】図５
2016095709.tif 000002
【特許請求の範囲】
【請求項１】
街頭における施設に備えられる印刷物作成装置と、前記印刷物作成装置及び端末装置と通信を行うサーバ装置とを備え、
前記サーバ装置において、前記端末装置によりアップロードされた印刷データを取得する印刷データ取得部と、
前記サーバ装置において、前記印刷データを印刷して得られる印刷物を引き取るユーザの認証に用いられる認証情報を取得する認証情報取得部と、
前記サーバ装置において、前記印刷データと前記認証情報を含む印刷制御情報を印刷制御情報記憶部に記憶させる印刷制御情報管理部と、
前記印刷物作成装置において、前記サーバ装置から取得した印刷データを用紙に印刷する印刷装置と、
前記印刷物作成装置において、前記印刷装置により印刷された用紙を用いた印刷物を格納する印刷物格納装置と、
印刷物を引き取るユーザであることの認証を受けるために前記印刷物作成装置に入力されたユーザキー情報と、前記認証情報とを利用して認証処理を行う認証処理部と、
前記印刷物作成装置において、前記認証処理部による認証が成立すれば、ユーザが前記印刷物格納装置に格納された印刷物を引き取り可能なように制御する引取対応制御部と
を備える印刷物作成システム。
【請求項２】
前記印刷物作成装置は、
前記印刷装置により印刷が行われた用紙を用いて製本を行うことで本としての前記印刷物を作成する製本装置をさらに備える
請求項１に記載の印刷物作成システム。
【請求項３】
前記製本装置は、製本された印刷物を装丁するカバーをさらに作成する
請求項２に記載の印刷物作成システム。
【請求項４】
前記印刷制御情報管理部は、
前記端末装置から指定された印刷物についての仕様を示す仕様情報をさらに印刷制御情報に含め、
前記印刷物作成装置は、
前記仕様情報が示す仕様による前記印刷物を作成する
請求項１から３のいずれか一項に記載の印刷物作成システム。
【請求項５】
前記印刷制御情報管理部は、
前記端末装置によって印刷データの印刷を行わせるべきことが指定された印刷物作成装置を示す印刷物作成装置情報をさらに印刷制御情報に含め、
印刷制御情報に含まれる印刷物作成装置情報が示す印刷物作成装置により、前記印刷制御情報に含まれる印刷データに対応する印刷物が作成されるように制御する印刷制御部をさらに備える
請求項１から４のいずれか一項に記載の印刷物作成システム。
【請求項６】
前記印刷制御情報管理部は、
前記端末装置によって指定された印刷物の引取日時を示す引取日時情報をさらに印刷制御情報に含め、
前記印刷制御部は、
印刷制御情報に含まれる引取日時情報が示す引取日時までに、前記印刷制御情報に含まれる印刷データに対応する印刷物をユーザが前記印刷物作成装置から引き取り可能な状態となるように制御する
請求項５に記載の印刷物作成システム。
【請求項７】
前記印刷装置は、店舗としての施設に備えられるマルチコピー機である請求項１から６のいずれか一項に記載の印刷物作成システム。
【請求項８】
端末装置からアップロードされた印刷データと、前記印刷データを印刷して得られる印刷物を引き取るユーザの認証に用いられる認証情報とを含む印刷制御情報を記憶するサーバ装置から取得した印刷データを用紙に印刷する印刷装置と、
前記印刷装置により印刷された用紙を用いた印刷物を格納する印刷物格納装置と、
入力されたユーザキー情報と前記サーバ装置が記憶する認証情報とを利用して行われた認証処理が成立すれば、ユーザが印刷物格納装置に格納された印刷物を引き取り可能なように制御する引取対応制御部と
を備える印刷物作成装置。
【請求項９】
街頭における施設に備えられる印刷物作成装置と、前記印刷物作成装置及び端末装置と通信を行うサーバ装置とを備える印刷物作成システムにおける印刷物作成方法であって、
前記サーバ装置において、前記端末装置によりアップロードされた印刷データを取得する印刷データ取得ステップと、
前記サーバ装置において、前記印刷データを印刷して得られる印刷物を引き取るユーザの認証に用いられる認証情報を取得する認証情報取得ステップと、
前記サーバ装置において、前記印刷データと前記認証情報を含む印刷制御情報を印刷制御情報記憶部に記憶させる印刷制御情報管理ステップと、
前記印刷物作成装置において備えられる印刷装置が前記サーバ装置から取得した印刷データを用紙に印刷する印刷ステップと、
前記印刷物作成装置において備えられる印刷物格納装置が前記印刷装置により印刷された用紙を用いた印刷物を格納する印刷物格納ステップと、
印刷物を引き取るユーザであることの認証を受けるために前記印刷物作成装置に入力されたユーザキー情報と、前記認証情報とを利用して認証処理を行う認証処理ステップと、
前記印刷物作成装置において、前記認証処理ステップによる認証が成立すれば、ユーザが前記印刷物格納装置に格納された印刷物を引き取り可能なように制御する引取対応制御ステップと
を含む印刷物作成方法。
【請求項１０】
端末装置からアップロードされた印刷データと、前記印刷データを印刷して得られる印刷物を引き取るユーザの認証に用いられる認証情報とを含む印刷制御情報を記憶するサーバ装置から取得した印刷データを印刷装置が用紙に印刷する印刷ステップと、
印刷物格納装置が、前記印刷ステップにより印刷された用紙を用いた印刷物を格納する印刷物格納ステップと、
入力されたユーザキー情報と前記サーバ装置が記憶する認証情報とを利用して行われた認証処理が成立すれば、ユーザが印刷物格納装置に格納された印刷物を引き取り可能なように制御する引取対応制御ステップと
を含む印刷物作成方法。
【発明の詳細な説明】
【技術分野】
【０００１】
本発明は、印刷物作成システム、印刷物作成装置及び印刷物作成方法に関する。
【背景技術】
【０００２】
これまでの書籍などの印刷物については、印刷の版を制作して印刷機により印刷し、製本することにより製造するということが広く行われている。このように版を制作する印刷は、大量の印刷物を印刷するのに向いている。
その一方で、プリンターを大型化したデジタル印刷機を用いて書籍などの印刷物を印刷するデジタル印刷が知られている（例えば、特許文献１参照）。デジタル印刷は、製版、刷版などの工程が不要であるために、必要なときに必要な部数の印刷物を印刷するオンデマンド印刷に利用される。
オンデマンド印刷は、コピーサービスを提供する店舗や通販の業界において活用されている。例えば、オンデマンド印刷の通販業者は、ユーザの端末装置からのデータの入稿を有料で受け付け、入稿されたデータを利用してデジタル印刷機により印刷を行い、例えば書籍などの印刷物を作成したうえで、印刷物をユーザに宛てて配送する。
【先行技術文献】
【特許文献】
【０００３】
【特許文献１】特許第４１６３８７８号公報
【発明の概要】
【発明が解決しようとする課題】
【０００４】
上記のようなオンデマンド印刷は、例えば在庫管理が不要で品切れが生じることがない。さらに、仮印刷であるゲラ修正の煩雑さや、執筆や編集のコストを圧縮できれば、これまでは成立しにくいとされていた小さな市場を販売の対象とした印刷物の販売なども行えるようになる可能性がある。
しかし、上記のオンデマンド印刷は、例えば店舗や通販業者などがデジタル印刷機や製本機などの比較的規模の大きい設備を用意したうえで、ユーザにサービスを提供するというものであるため、一般のユーザが利用しにくいと感じる場合がある。一例として、オンデマンド印刷の通販を利用した場合には、ユーザは作成を注文した印刷物が配送されるのを待つことになるが、状況によっては、配送されるのを自宅などで待たねばならないことにユーザが不満を覚える可能性がある。
【０００５】
本発明は、このような事情に鑑みてなされたもので、印刷物の作成が手軽に行えるようにすることを目的とする。
【課題を解決するための手段】
【０００６】
上述した課題を解決する本発明の一態様は、街頭における施設に備えられる印刷物作成装置と、前記印刷物作成装置及び端末装置と通信を行うサーバ装置とを備え、前記サーバ装置において、前記端末装置によりアップロードされた印刷データを取得する印刷データ取得部と、前記サーバ装置において、前記印刷データを印刷して得られる印刷物を引き取るユーザの認証に用いられる認証情報を取得する認証情報取得部と、前記サーバ装置において、前記印刷データと前記認証情報を含む印刷制御情報を印刷制御情報記憶部に記憶させる印刷制御情報管理部と、前記印刷物作成装置において、前記サーバ装置から取得した印刷データを用紙に印刷する印刷装置と、前記印刷物作成装置において、前記印刷装置により印刷された用紙を用いた印刷物を格納する印刷物格納装置と、印刷物を引き取るユーザであることの認証を受けるために前記印刷物作成装置に入力されたユーザキー情報と、前記認証情報とを利用して認証処理を行う認証処理部と、前記印刷物作成装置において、前記認証処理部による認証が成立すれば、ユーザが前記印刷物格納装置に格納された印刷物を引き取り可能なように制御する引取対応制御部とを備える印刷物作成システムである。
【０００７】
本発明の一態様は、上記の印刷物作成システムであって、前記印刷物作成装置は、前記印刷装置により印刷が行われた用紙を用いて製本を行うことで本としての前記印刷物を作成する製本装置をさらに備えてもよい。
【０００８】
本発明の一態様は、上記の印刷物作成システムであって、前記製本装置は、製本された印刷物を装丁するカバーをさらに作成してもよい。
【０００９】
本発明の一態様は、上記の印刷物作成システムであって、前記印刷制御情報管理部は、前記端末装置から指定された印刷物についての仕様を示す仕様情報をさらに印刷制御情報に含め、前記印刷物作成装置は、前記仕様情報が示す仕様による前記印刷物を作成してもよい。
【００１０】
本発明の一態様は、上記の印刷物作成システムであって、前記印刷制御情報管理部は、前記端末装置によって印刷データの印刷を行わせるべきことが指定された印刷物作成装置を示す印刷物作成装置情報をさらに印刷制御情報に含め、印刷制御情報に含まれる印刷物作成装置情報が示す印刷物作成装置により、前記印刷制御情報に含まれる印刷データに対応する印刷物が作成されるように制御する印刷制御部をさらに備えてもよい。
【００１１】
本発明の一態様は、上記の印刷物作成システムであって、前記印刷制御情報管理部は、前記端末装置によって指定された印刷物の引取日時を示す引取日時情報をさらに印刷制御情報に含め、前記印刷制御部は、印刷制御情報に含まれる引取日時情報が示す引取日時までに、前記印刷制御情報に含まれる印刷データに対応する印刷物をユーザが前記印刷物作成装置から引き取り可能な状態となるように制御してもよい。
【００１２】
本発明の一態様は、上記の印刷物作成システムであって、前記印刷装置は、店舗としての施設に備えられるマルチコピー機であってもよい。
【００１３】
本発明の一態様は、端末装置からアップロードされた印刷データと、前記印刷データを印刷して得られる印刷物を引き取るユーザの認証に用いられる認証情報とを含む印刷制御情報を記憶するサーバ装置から取得した印刷データを用紙に印刷する印刷装置と、前記印刷装置により印刷された用紙を用いた印刷物を格納する印刷物格納装置と、入力されたユーザキー情報と前記サーバ装置が記憶する認証情報とを利用して行われた認証処理が成立すれば、ユーザが印刷物格納装置に格納された印刷物を引き取り可能なように制御する引取対応制御部とを備える印刷物作成装置である。
【００１４】
本発明の一態様は、街頭における施設に備えられる印刷物作成装置と、前記印刷物作成装置及び端末装置と通信を行うサーバ装置とを備える印刷物作成システムにおける印刷物作成方法であって、前記サーバ装置において、前記端末装置によりアップロードされた印刷データを取得する印刷データ取得ステップと、前記サーバ装置において、前記印刷データを印刷して得られる印刷物を引き取るユーザの認証に用いられる認証情報を取得する認証情報取得ステップと、前記サーバ装置において、前記印刷データと前記認証情報を含む印刷制御情報を印刷制御情報記憶部に記憶させる印刷制御情報管理ステップと、前記印刷物作成装置において備えられる印刷装置が前記サーバ装置から取得した印刷データを用紙に印刷する印刷ステップと、前記印刷物作成装置において備えられる印刷物格納装置が前記印刷装置により印刷された用紙を用いた印刷物を格納する印刷物格納ステップと、印刷物を引き取るユーザであることの認証を受けるために前記印刷物作成装置に入力されたユーザキー情報と、前記認証情報とを利用して認証処理を行う認証処理ステップと、前記印刷物作成装置において、前記認証処理ステップによる認証が成立すれば、ユーザが前記印刷物格納装置に格納された印刷物を引き取り可能なように制御する引取対応制御ステップとを含む印刷物作成方法である。
【００１５】
本発明の一態様は、端末装置からアップロードされた印刷データと、前記印刷データを印刷して得られる印刷物を引き取るユーザの認証に用いられる認証情報とを含む印刷制御情報を記憶するサーバ装置から取得した印刷データを印刷装置が用紙に印刷する印刷ステップと、印刷物格納装置が、前記印刷ステップにより印刷された用紙を用いた印刷物を格納する印刷物格納ステップと、入力されたユーザキー情報と前記サーバ装置が記憶する認証情報とを利用して行われた認証処理が成立すれば、ユーザが印刷物格納装置に格納された印刷物を引き取り可能なように制御する引取対応制御ステップとを含む印刷物作成方法である。
【発明の効果】
【００１６】
以上説明したように、本発明によれば、印刷物の作成が手軽に行えるようになるという効果が得られる。
【図面の簡単な説明】
【００１７】
【図１】本実施形態における印刷物作成システムの構成例を示す図である。
【図２】本実施形態の印刷物作成システムを利用して印刷物を作成し、作成された印刷物を引き取るまでにユーザが行う手順例を示すフローチャートである。
【図３】本実施形態における印刷物作成管理サーバの構成例を示す図である。
【図４】本実施形態における印刷制御情報の構造例を示す図である。
【図５】本実施形態における印刷物作成装置の構成例を示す図である。
【図６】本実施形態における印刷物作成管理サーバが印刷物作成の注文の受け付けに応じて実行する処理手順例を示すフローチャートである。
【図７】本実施形態における印刷物作成管理サーバが「店舗指定有り」に対応の印刷制御情報に従って印刷物作成装置にて印刷物の作成が行われるようにするための処理手順例を示すフローチャートである。
【図８】本実施形態における印刷物作成装置が印刷物作成要求の受信に応じて印刷物作成を行うための処理手順例を示すフローチャートである。
【図９】本実施形態における印刷物作成管理サーバと印刷物作成装置とが、ユーザによる印刷物の引き取りに応じて実行する処理手順例を示すフローチャートである。
【発明を実施するための形態】
【００１８】
［印刷物作成システムの構成例］
以下、本実施形態による印刷物作成システムについて図面を参照して説明する。
図１は、本実施形態における印刷物作成システムの全体的な構成例を示している。本実施形態における印刷物作成システムは、端末装置１００、印刷物作成管理サーバ２００（サーバ装置の一例）及び印刷物作成装置３００を備える。
印刷物作成管理サーバ２００は、端末装置１００及び印刷物作成装置３００とネットワークＮＷ経由で通信を行う。
【００１９】
端末装置１００は、本実施形態の印刷物作成システムを利用して印刷物を作成しようとするユーザが使用する。本実施形態におけるユーザは、例えば、印刷物を作成しようとする個人または印刷物を作成するために集まった複数の人から成る同人や、営利活動、非営利活動、学際的団体、自治体等である。なお、同図においては１つの端末装置１００が示されているが、端末装置１００は、印刷物を作成しようとするユーザごとが所有しており、各端末装置１００が印刷物作成管理サーバ２００と接続される。
端末装置１００は印刷物データを送信できる機能を持つ装置である。端末装置１００自体に印刷物データを作成する機能が付与される場合もある。具体的に、端末装置１００としてはパソコン、携帯電話、スマートフォン、タブレット、スキャナー、カメラ、マルチコピー機等であって、ネットワークＮＷに対応した通信機能を有するものであれば適宜使用できる。
【００２０】
印刷物作成管理サーバ２００は、本実施形態の印刷物作成システムにおいて、端末装置１００からのユーザによる印刷物作成の注文を受け付け、街頭における施設、例えばコンビニエンスストアＣＶＳに設けられる印刷物作成装置３００にて印刷物が作成されるようにする。
【００２１】
印刷物作成装置３００は、例えばコンビニエンスストアＣＶＳに設けられ、前述のように、端末装置１００からのユーザによる注文に応じた印刷物を作成する。
なお、本実施形態の印刷物作成システムは、各地にて出店されている複数のコンビニエンスストアＣＶＳのそれぞれに設置される印刷物作成装置３００を含む。しかし、同図では、１つのコンビニエンスストアＣＶＳにおける１つの印刷物作成装置３００を示している。
【００２２】
印刷物作成装置３００は、同図に示すように、マルチコピー機３０１（印刷装置の一例）、製本装置３０２及び印刷物格納装置３０３を備える。
マルチコピー機３０１は、通信機能を有する端末として、コピー機と印刷機能とを有する装置である。マルチコピー機３０１は、例えば図示しないマルチコピー機サービス用のサーバと通信を行うことで、ユーザの端末装置から登録された文書のデータなどの印刷、各種イベントのチケットの発行、住民票や印鑑登録証明書の発行などを行うことができる。
そのうえで、本実施形態のマルチコピー機３０１は、印刷物作成の注文に応じてユーザの端末装置１００から提供された印刷データを印刷物作成管理サーバ２００から取得し、取得した印刷データを用紙に印刷する。
【００２３】
製本装置３０２は、マルチコピー機３０１により印刷が行われた用紙を用いて製本を行うことで本としての印刷物を作成する。
印刷物格納装置３０３は、マルチコピー機３０１により印刷された用紙を用いた印刷物（即ち、製本装置３０２により印刷された用紙を製本して得られた本）を格納する。格納された印刷物としての本は、コンビニエンスストアＣＶＳにまで赴いたユーザにより引き取られる。
【００２４】
ただし、誰もが印刷物作成装置３００から印刷物を取り出せるようにしてしまうと、印刷物が本来引き取るべきでないユーザにより引き取られてしまうような不都合が生じる可能性がある。
そこで、本実施形態の印刷物作成装置３００は、コンビニエンスストアＣＶＳに赴いたユーザが印刷物を引き取ることのできるユーザであるとの認証が成立すれば、ユーザが印刷物格納装置３０３から印刷物を取り出せる状態とする。これに対して、印刷物作成装置３００は、認証が不成立であれば印刷物格納装置３０３から印刷物を取り出せないようにする。
【００２５】
ここで、本実施形態の印刷物作成装置３００は、既にコンビニエンスストアＣＶＳに設置されているマルチコピー機３０１に対して、製本装置３０２と印刷物格納装置３０３とを後から組み合わせて構成されればよい。この場合、製本装置３０２と印刷物格納装置３０３とは一体化された１つの装置として構成されてもよい。
あるいは、印刷物作成装置３００は、マルチコピー機３０１、製本装置３０２及び印刷物格納装置３０３を組み合わせて一体化された装置として構成されたうえで、コンビニエンスストアＣＶＳに設置されてもよい。
【００２６】
［ユーザが印刷物を注文し引き取るまでの手順例］
次に、図２のフローチャートを参照して、本実施形態の印刷物作成システムを利用して印刷物を作成し、作成された印刷物を引き取るまでにユーザが行う手順例について説明する。なお、同図に示す手順はあくまでも一例であって、例えば、同図に示される手順の順序などは適宜変更されてよい。
【００２７】
まず、ユーザは、印刷物として作成したい原稿の内容を表す印刷データを作成する（ステップＳ１０１）。
ユーザは、端末装置１００を操作して、例えば印刷物作成管理サーバ２００が提供する印刷物作成注文サイトに端末装置１００をアクセスさせる。ユーザは、印刷物作成注文サイトにおける印刷データの操作画面に対する所定操作によって、作成した印刷データを印刷物作成管理サーバ２００にアップロードする（ステップＳ１０２）。
【００２８】
また、印刷物作成注文サイトにおける操作画面に対する所定操作によって、作成したい印刷物の仕様を指定する（ステップＳ１０３）。仕様指定操作画面に対する操作によって指定できる仕様としては、例えば、作成部数、サイズ（判型）、頁数、用紙の種類などである。また、本としての加工の仕方や、モノクロームとカラーについての指定などが仕様に含められてもよい。
なお、上記のステップＳ１０２による仕様の指定において、通常ではコンビニエンスストアＣＶＳにて用意されていない特殊な用紙が指定される場合がある。この場合、例えば印刷物作成管理サーバ２００は、所定の業者に対して、指定された用紙を注文する処理を行う。そして、業者からコンビニエンスストアＣＶＳに注文された用紙が届けられると、コンビニエンスストアＣＶＳの店員が用紙をマルチコピー機３０１に装填する。このようにして、本実施形態では、特殊な用紙を使用した印刷物の作成にも対応できる。
【００２９】
また、ユーザは、印刷物作成注文サイトにおける操作画面に対する所定操作によって、作成された印刷物の引取方法を選択する（ステップＳ１０４）。
本実施形態における印刷物の引取方法についての選択肢は、「店舗指定無し」と「店舗指定有り」の２つである。
「店舗指定無し」は、ユーザが事前に印刷物を引き取るコンビニエンスストアＣＶＳを指定せずに、ユーザが好きなコンビニエンスストアＣＶＳに赴いてその場で印刷物作成装置３００を操作して印刷物を作成し、作成された印刷物を引き取るという引取方法である。
「店舗指定有り」は、ユーザが印刷物の引き取り先のコンビニエンスストアＣＶＳと、引取日時とを予め指定して、印刷物作成の予約を行う。そして、指定した引取日時以降において、ユーザが指定の引き取り先のコンビニエンスストアＣＶＳの印刷物作成装置３００の印刷物格納装置３０３から印刷物を引き取るという引取方法である。
【００３０】
ユーザは、「店舗指定無し」を選択した場合、印刷物作成注文サイトにおける操作画面に対する所定操作によって料金支払いを行う（ステップＳ１０５）。
なお、支払いは上記のステップＳ１０５のタイミングで行うことに限定されるものでなく、印刷物の出力前に行われてもよい。アップロードされたデータは印刷ジョブの完了後に削除するか否か確認が行われる。さらに、アップロードされたデータを印刷後にも保存する期間を与える場合がある。なお、支払いが行われない場合、アップロードされたデータは削除される。
また、ユーザは、印刷物作成注文サイトにおける操作画面に対して、印刷物の引き取りの際に必要となる認証処理に用いる認証情報を登録するための操作を行う（ステップＳ１０６）。
【００３１】
一例として、本実施形態における認証処理がユーザアカウントとパスワードとの組み合わせが正当であるか否かを判定するものである場合には、ユーザは、ステップＳ１０６に対応してユーザアカウントとパスワードとを認証情報として登録する操作を行う。
また、認証方式は上記のユーザアカウントとパスワードとの組み合わせに基づく認証方式に限定されない。例えば、ユーザアカウントとユーザが登録したイメージとの組み合わせに基づく認証方式であってもよい。この場合には、ユーザは、ユーザアカウントとイメージとを認証情報として登録する。
また、ユーザに事前に乱数表を持たせ、認証の際には、ランダムに乱数表の行列を指定し、ユーザにより入力された行列ごとの値が正当であるか否かを判定する認証方式であってもよい。このような乱数表を利用する認証方式の場合、印刷物作成の注文に先立って、ユーザアカウント、パスワードなどの登録が事前に行われており、印刷物作成管理サーバ２００においては、事前に登録されたたユーザアカウント、パスワードなどと乱数表とを対応付けている。この場合の注文時における認証情報の登録として、ユーザは、ユーザアカウント、パスワードを登録すればよい。ユーザアカウント、パスワードの登録により、今回の印刷物作成の注文に対応して利用すべき乱数表が印刷物作成管理サーバ２００にて特定される。
また、本実施形態における認証方式は、音声、指紋、虹彩などの生体情報を利用した生体認証であってもよい。認証方式であってもよい。この場合には、ユーザは、ユーザアカウントと生体情報とを認証情報として登録する。
【００３２】
一方、ユーザは、「店舗指定有り」を選択した場合、印刷物作成注文サイトにおける操作画面に対する所定操作によって、引取日時の指定と店舗選択を行う（ステップＳ１０７）。なお、ステップＳ１０７に対応する操作は、印刷物作成の予約に対応する操作であり、後述のステップＳ１１２による印刷物作成指示操作を遠隔操作により行っているものとみることができる。
【００３３】
印刷物作成注文サイトでは、店舗選択の操作画面において、例えば地域（例えば住所、郵便番号など）を指定したコンビニエンスストアＣＶＳの検索が可能とされている。また、印刷物作成注文サイトでは、店舗選択の操作画面において、端末装置１００が存在する地域の近隣のコンビニエンスストアＣＶＳを提示することができる。
また、店舗選択の操作画面においては、例えば、印刷物作成の予約が一杯で印刷物作成の予約を受けられない店舗と、印刷物作成の予約を受けられる店舗とが区別された状態で操作画面上に提示される。ユーザは、このような操作画面を見て、例えば希望の店舗が印刷物作成の予約を受けられない場合、引取日時を変更してみたり、希望の店舗から近い店舗のなかから印刷物作成の予約を受けられる店舗を探したりすることができる。
【００３４】
ユーザは、店舗選択を行った後、印刷物作成注文サイトにおける操作画面に対する所定操作によって料金支払いを行う（ステップＳ１０８）。
なお、支払いは上記のステップＳ１０８のタイミングで行うことに限定されるものでなく、印刷物の出力前に行われてもよい。アップロードされた印刷データは印刷ジョブの完了後に削除するか否か確認が行われる。さらに、アップロードされた印刷データを印刷後にも保存する期間を与える場合がある。なお、支払いが行われない場合、アップロードされた印刷データは削除される。
また、ユーザは、印刷物作成注文サイトにおける操作画面に対して、印刷物の引き取りの際に必要となる認証処理に用いる認証情報を登録するための操作を行う（ステップＳ１０９）。
【００３５】
上記のステップＳ１０１〜Ｓ１０９の手順により、ユーザが端末装置１００を利用して行う印刷物作成の注文が完了する。続くステップＳ１１０〜Ｓ１１５は、ユーザがコンビニエンスストアＣＶＳに赴いて、注文した印刷物を引き取るための手順である。
印刷物の引き取りにあたっては、「店舗指定無し」と「店舗指定有り」とのいずれの引取方法を印刷物作成の注文に際して選択しているかによってユーザが行う手順が異なってくる。
「店舗指定無し」を選択している場合（ステップＳ１１０：「店舗指定無し」）、ユーザは、赴いたコンビニエンスストアＣＶＳに設置された印刷物作成装置３００に対してユーザキー情報を入力する操作を行って印刷物作成管理サーバ２００に認証処理を実行させる（ステップＳ１１１）。この際、印刷物作成装置３００は、入力されたユーザキー情報を印刷物作成管理サーバ２００に送信し、印刷物作成管理サーバ２００は受信されたユーザキー情報と、ユーザキー情報に対応する認証情報とを利用して認証処理を実行する。
【００３６】
認証処理が成立した場合、印刷物作成装置３００においては、印刷物の作成を指示する操作を行う操作画面が表示される。そこで、ユーザは、操作画面に対する操作によって印刷物の作成を指示する操作を行う（ステップＳ１１２）。
この場合、マルチコピー機３０１と製本装置３０２により印刷物が作成されると、作成された印刷物は印刷物格納装置３０３の取出部にまで搬送される。そこで、ユーザは印刷物格納装置３０３から印刷物を取り出す（ステップＳ１１３）。
【００３７】
なお、認証が不成立であった場合、例えば印刷物作成装置３００においては認証が不成立であったために印刷物を作成できないことを表すメッセージが表示される。
【００３８】
また、「店舗指定有り」を選択している場合（ステップＳ１１０：「店舗指定有り」）、ユーザは、赴いたコンビニエンスストアＣＶＳに設置された印刷物作成装置３００に対してユーザキー情報を入力する操作を行う（ステップＳ１１４）。入力されたユーザキー情報は、印刷物作成装置３００から印刷物作成管理サーバ２００に送信され、印刷物作成管理サーバ２００にて認証処理が行われる。
「店舗指定有り」の場合、ユーザが指定した引取日時以降においては、指定のコンビニエンスストアＣＶＳに設置された印刷物作成装置３００の印刷物格納装置３０３には、既にユーザが注文した印刷物が格納されている。
このため、認証処理が成立した場合の印刷物作成装置３００は、印刷物格納装置３０３に格納されている印刷物のうちから、認証が成立したユーザに対応する印刷物を取出部から取り出せる状態とする。そこで、ユーザは、注文した印刷物を印刷物格納装置３０３から取り出す（ステップＳ１１５）。
【００３９】
なお、認証が不成立であった場合、例えば印刷物格納装置３０３は、印刷物を格納したままで取り出しが不可の状態を維持し、認証が不成立であったために印刷物を取り出せないことを表すメッセージを表示する。
【００４０】
［印刷物作成管理サーバの構成例］
図３は、本実施形態における印刷物作成管理サーバ２００の構成例を示している。同図に示す印刷物作成管理サーバ２００は、通信部２０１、制御部２０２及び記憶部２０３を備える。
【００４１】
通信部２０１は、ネットワークＮＷ経由で端末装置１００、印刷物作成装置３００と通信を行う。
【００４２】
制御部２０２は、印刷物作成管理サーバ２００における各種の制御を実行する。制御部２０２は、印刷データ取得部２２１、認証情報取得部２２２、印刷制御情報管理部２２３、認証処理部２２４及び印刷制御部２２５を備える。
印刷データ取得部２２１は、端末装置１００によりアップロードされたデータを取得する。
端末装置１００は、操作に応じて。ローカルに保存されている印刷データをアップロードする。あるいは、端末装置１００は、操作に応じて、ネットワーク上の他のストレージなどに記憶されている印刷データをアップロードすべきデータとして指定することで、印刷物作成管理サーバ２００にて指定された印刷データがアップロードされるようにしてもよい。
【００４３】
認証情報取得部２２２は、印刷物を引き取るユーザの認証に用いられる認証情報を取得する。一例として、ユーザアカウントとパスワードとの組み合わせが正当であるか否かを判定する認証処理の場合には、前述のように、ユーザの端末装置１００に対する認証情報の登録操作によって入力されたユーザアカウントとパスワードとを認証情報として取得する。
【００４４】
印刷制御情報管理部２２３は、印刷データと認証情報を含む印刷制御情報を印刷制御情報記憶部２３１に記憶させる。
認証処理部２２４は、印刷物を引き取るユーザであることの認証を受けるために印刷物作成装置３００に入力されたユーザキー情報と、認証情報とを利用して認証処理を行う。
印刷制御部２２５は、印刷制御情報に含まれる印刷物作成装置情報が示す印刷物作成装置３００により、印刷制御情報に含まれる印刷データに対応する印刷物が作成されるように制御する。
【００４５】
記憶部２０３は、制御部２０２が利用する各種の情報を記憶する。記憶部２０３は、同図に示すように印刷制御情報記憶部２３１を備える。
【００４６】
図４は、印刷制御情報記憶部２３１が記憶する印刷制御情報の構造例を示している。
同図に示す印刷制御情報は、印刷物作成の注文ごとに対応する情報である。１つの印刷物作成の注文に対応する印刷制御情報は、注文ＩＤ、印刷データ、ユーザ情報、認証情報、仕様情報、印刷物作成装置情報、引取日時情報、格納場所情報のそれぞれを格納する領域を含む。
【００４７】
注文ＩＤの領域は、対応の印刷物作成の注文について付与された注文ＩＤを格納する。注文ＩＤは、例えば注文番号などであればよい。
印刷データの領域は、対応の印刷物作成の注文に応じて端末装置１００からアップロードされた印刷データを格納する。
ユーザ情報の領域は、対応の印刷物作成の注文者であるユーザに関するユーザ情報を格納する。ユーザ情報には、例えばユーザアカウントが含まれる。
【００４８】
認証情報の領域は、対応の印刷物作成の注文者であるユーザに対応して認証情報取得部が取得した認証情報を格納する。
仕様情報の領域は、対応の印刷物作成の注文に際して指定された仕様を示す仕様情報を格納する。
【００４９】
印刷物作成装置情報の領域は、対応の印刷物作成の注文に際して指定された引取方法が「店舗指定有り」である場合において、指定された店舗に備えられる印刷物作成装置を示す印刷物作成装置情報を格納する。印刷物作成装置情報は、例えば印刷物作成装置ごとに固有となるように付与される印刷物作成装置ＩＤにより印刷物作成装置情報を示す。
なお、コンビニエンスストアＣＶＳに複数の印刷物作成装置３００が設置される場合がある。この場合、印刷物の作成を注文する注文画面では、店舗（コンビニエンスストアＣＶＳ）の指定と、指定したコンビニエンスストアＣＶＳにおける印刷物作成装置３００の指定とを行うことができるようになっている。
【００５０】
引取日時情報の領域は、対応の印刷物作成の注文に際して指定された引取方法が「店舗指定有り」である場合において、同じ印刷物作成の注文に際して指定された引取日時を示す引取日時情報を格納する。
【００５１】
格納場所情報の領域は、対応の印刷物作成の注文に応じて作成された印刷物が格納されている場所を示す格納場所情報を格納する。本実施形態において、作成された印刷物は、印刷物格納装置３０３において、版（同じ印刷物作成の注文に応じて同じ印刷データにより作成された印刷物）ごとに異なる格納部（版単位格納部）に格納されるようにして管理される。格納場所情報は、対応の印刷物作成の注文に応じて作成された印刷物が格納された版単位格納部を示す。
なお、「店舗指定有り」の取引方法が指定されている場合、印刷物作成装置情報、引取日時情報及び格納場所情報の各領域には、取引方法が「店舗指定有り」であることに対応する所定の無効値が格納されればよい。
【００５２】
［印刷物作成装置の構成例］
図５は、印刷物作成装置３００の構成例を示している。印刷物作成装置３００は、マルチコピー機３０１、製本装置３０２及び印刷物格納装置３０３を備える。
【００５３】
マルチコピー機３０１は、通信部３１１、制御部３１２、ユーザインターフェース部３１３、印刷部３１４、用紙収納部３１５及び用紙搬送部３１６を備える。
通信部３１１は、ネットワークＮＷを介して印刷物作成管理サーバ２００と通信を行う。
【００５４】
制御部３１２は、マルチコピー機３０１における各種制御を実行する。制御部３１２と、製本装置３０２における制御部３２１と、印刷物格納装置３０３における制御部３３１は相互に通信を行う。これにより、マルチコピー機３０１、製本装置３０２及び印刷物格納装置３０３が連携して動作し、印刷物作成装置３００としての動作を実現することができる。
【００５５】
ユーザインターフェース部３１３は、マルチコピー機３０１において備えられる操作デバイスや表示デバイスなど、ユーザインターフェースのための入出力デバイスを示している。
【００５６】
印刷部３１４は、用紙収納部３１５から供給される用紙に印刷を行う。
用紙収納部３１５は、印刷部３１４が印刷する用紙を収納し、印刷部３１４に用紙を供給する。
用紙搬送部３１６は、印刷部３１４により印刷された用紙を利用して製本を行う場合に、印刷部３１４により印刷された用紙が製本装置３０２に供給されるように用紙の搬送を行う。
印刷部３１４、用紙収納部３１５及び用紙搬送部３１６の動作は、制御部３１２によって制御される。
【００５７】
製本装置３０２は、制御部３２１、製本部３２２、カバー作成部３２３及び印刷物搬送部３２４を備える。
制御部３２１は、製本装置３０２における各種制御を実行する。
製本部３２２は、マルチコピー機３０１により印刷データが印刷された用紙を綴じる工程などを行う。前述のように、マルチコピー機３０１における印刷部３１４により印刷データが印刷された用紙は、用紙搬送部３１６によって製本部３２２に搬送され、製本が行われる。
また、製本部３２２は、カバー作成部３２３により作成された本のカバー（表紙）を、用紙を綴じて作った本の本体に貼り付ける、あるいは織り込むなどして取り付けることができる。このようにして、製本部３２２は、本としての印刷物を作成する。
なお、カバーによる装丁はオプションとされればよく、カバーを付けるか否かの指定と、カバーを付ける指定を行った場合に応じたカバーの絵柄などの指定は、印刷物作成の注文に際しての仕様の指定に含まれればよい。
【００５８】
カバー作成部３２３は、上記のようにカバーを作成する。ここでのカバーの作成は、例えばカバー用の用紙への印刷の工程と、印刷が行われた用紙からのカバーの切り出しの工程とを含む。
カバー作成部３２３は、一定幅によるロール状のカバー用の用紙を格納している。カバー用の用紙は、仕様として本のサイズの高さについて指定可能な最大値以上の幅を有する。このように本のサイズの高さの最大値以上の幅のロール状の用紙を用いることで、仕様として指定可能なサイズのすべてに対応したカバーが作成可能になる。
カバー作成部３２３は、カバー用の用紙を引き出してカバーの絵柄の印刷を行う。次に、カバー作成部３２３は、カバーの絵柄が印刷された部分を指定された本のサイズに応じて切り抜くことにより、カバーを作成する。このように作成されたカバーは、製本部３２２に搬送され、前述のように、製本部３２２により本の本体に取り付けられる。
【００５９】
印刷物搬送部３２４は、製本部３２２により作成された本としての印刷物を印刷物格納装置３０３に搬送する。
なお、ユーザ自身がカバーを取り付けたいと考える場合もある。このような場合に応じて、製本装置３０２は、製本部３２２において本の本体にカバーを付ける工程を行わないようにしたうえで、印刷物搬送部３２４によって本の本体とカバーとを別々に搬送することもできる。製本に際して本の本体にカバーを付すべきか、カバーを付さずに別々とすべきかについては、例えば印刷物の注文に際して指定する仕様に含まれればよい。
【００６０】
製本装置３０２において、製本部３２２、カバー作成部３２３及び印刷物搬送部３２４の動作は、制御部３２１によって制御される。
【００６１】
印刷物格納装置３０３は、制御部３３１及び印刷物格納部３３２を備える。
制御部３３１は、印刷物格納装置３０３における各種の制御を実行する。本実施形態において、制御部３３１は、引取対応制御部３３１１を備える。引取対応制御部３３１１は、認証処理部による認証が成立すれば、ユーザが印刷物格納装置３０３に格納された印刷物を引き取り可能なように制御する。
【００６２】
印刷物格納部３３２は、マルチコピー機３０１と製本装置３０２とにより作成された印刷物を格納する。
同図に示す印刷物格納部３３２は、版単位格納部３３２１ａ〜３３２１ｄを備える。なお、以降において版単位格納部３３２１ａ〜３３２１ｄについて特に区別しない場合には、版単位格納部３３２１と記載する。
版単位格納部３３２１は、版単位の印刷物を格納する。ここでの版は、１つの印刷物作成の注文に応じて作成された印刷物を指す。従って、版単位格納部３３２１は、１つの印刷物作成の注文に応じて作成された印刷物を格納する。版単位格納部３３２１には、印刷物作成の注文に際して仕様として指定された部数の印刷物が格納される。
【００６３】
本実施形態の印刷物格納部３３２において、印刷物搬送部３２４から搬送された印刷物の版単位格納部３３２１への格納は、印刷物格納部３３２が備える搬送機構によって行われる。つまり、本実施形態において、製本装置３０２により本としての体裁で作成された印刷物は、人の手によることなく印刷物格納部３３２に格納される。
【００６４】
取出部３３２２は、印刷物格納部３３２に格納された印刷物が取り出される部位である。印刷物格納部３３２において、印刷物は、版単位格納部３３２１に格納されている状態では取り出すことができない。版単位格納部３３２１は、制御部３３１の制御に応じて、格納している印刷物を取出部３３２２に移動させることができる。このように、版単位格納部３３２１から取出部３３２２に印刷物が移動されると、ユーザにより印刷物を取り出すことができる。
【００６５】
［処理手順例］
図６のフローチャートを参照して、印刷物作成管理サーバ２００が印刷物作成の注文の受け付けに応じて実行する処理手順例について説明する。同図に示す処理は、前述のように、印刷物作成管理サーバ２００が提供する印刷物の作成を注文するＷｅｂサイト（印刷物作成注文サイト）に端末装置１００がアクセスしている状態において実行される。
【００６６】
印刷物作成管理サーバ２００において、制御部２０２の印刷データ取得部２２１は、端末装置１００に対する操作に応じてアップロードされた印刷データを取得する（ステップＳ２０１）。なお、ここでの端末装置１００に対する操作は、端末装置１００のＷｅｂブラウザにより表示された印刷物作成注文サイトの画面に対する操作である。
また、制御部２０２は、端末装置１００に対する操作に応じた印刷物の仕様の指定に応じて、指定された仕様を示す仕様情報を生成する（ステップＳ２０２）。
また、制御部２０２は、端末装置１００に対する操作に応じた印刷物の引取方法の指定を受け付ける（ステップＳ２０３）。
【００６７】
以降の処理は、指定された引取方法が「店舗指定無し」と「店舗指定有り」とのいずれであるのかにより分岐される（ステップＳ２０４）。
引取方法として「店舗指定無し」が指定された場合、印刷物作成注文サイトには、料金支払いに関する画面が表示される。制御部２０２は、端末装置１００に対する料金支払いのための操作に応じた処理（料金支払い対応処理）を実行する（ステップＳ２０５）。
次に、料金支払い対応処理の後、印刷物作成注文サイトには、認証情報登録に関する画面が表示される。そこで、ユーザは、認証情報登録に関する画面に対して認証情報を登録する操作を行う。このように行われる認証情報の登録操作に応じて、制御部２０２の認証情報取得部２２２は、端末装置１００に対する認証情報登録の操作に応じて認証情報を取得する（ステップＳ２０６）。
【００６８】
そして、制御部２０２における印刷制御情報管理部２２３は、これまでの処理に応じて得られた印刷データ、仕様情報、認証情報などを含む印刷制御情報を、印刷制御情報記憶部２３１に記憶させる（ステップＳ２１１）。
前述のように、引取方法として「店舗指定無し」が指定された場合、印刷制御情報における印刷物作成装置情報、引取情報及び格納場所情報には、所定の無効値が格納される。
【００６９】
また、引取方法として「店舗指定有り」が指定された場合、印刷物作成注文サイトには、店舗選択に関する画面が表示される。制御部２０２は、端末装置１００にて表示される店舗選択に関する画面に対する操作に応じて店舗（コンビニエンスストア）の選択に応じた処理を実行し、店舗の選択が確定されるのに応じて、選択された店舗における印刷物作成装置３００を示す印刷物作成装置情報を生成する（ステップＳ２０７）。
【００７０】
印刷物作成管理サーバ２００の記憶部２０３には、系列の店舗についての店舗データベースが記憶されている。制御部２０２は、店舗選択に関する画面に対する操作に応じて店舗データベースを利用して店舗検索を行う。
また、制御部２０２は、印刷制御情報記憶部２３１に記憶されている印刷制御情報における印刷物作成装置情報、引取日時、格納場所情報を参照することで、現在における店舗ごとの印刷物作成装置３００の稼働状況を認識する。制御部２０２は、認識した稼働状況に基づいて、例えば印刷物作成を受け入れることができるコンビニエンスストアと、受け入れが不可のコンビニエンスストアとを区別して検索を行うことができる。
【００７１】
また、ユーザが端末装置１００に対する操作により店舗の選択を行うにあたっては、併せて、引取日時の指定も行っている。そこで、制御部２０２は、店舗の選択の確定に伴って確定された引取日時を示す引取日時情報も生成する（ステップＳ２０８）。
【００７２】
なお、印刷物を作成できる店舗が見つからなかった場合、ユーザは、これまでに行った注文をキャンセルする操作を行える。注文のキャンセルが行われた場合、印刷物作成管理サーバ２００は、ステップＳ２０１にて取得した印刷データを消去してよい。
また、注文のキャンセルに際してユーザが指定すれば、印刷物作成管理サーバ２００は、アップロードした印刷データを記憶させたままの消去保留状態とすることもできる。この場合、例えば後においてユーザが改めて店舗を選択する操作を行うにあたり、印刷データを再びアップロードさせる操作を行う必要がない。
ただし、上記のように印刷データの消去を保留して記憶させたままの状態である場合、ユーザによっては改めて注文を行うことなく放置してしまう可能性がある。そこで、印刷物作成管理サーバ２００は、消去保留の状態で記憶させている印刷データについては有効期間の経過に応じて消去するようにしてもよい。有効期間は予め固定的に定められていてもよいし、注文のキャンセルの操作に際してユーザによって指定できるようにしてもよい。
【００７３】
この場合の印刷物作成注文サイトでは、店舗の選択の確定に応じて認証情報登録に関する画面が表示される。そこで、制御部２０２は、端末装置１００に対する料金支払いのための操作に応じた処理（料金支払い対応処理）を実行する（ステップＳ２０９）。
次に、制御部２０２の認証情報取得部２２２は、端末装置１００に対する認証情報登録の操作に応じて認証情報を取得する（ステップＳ２１０）。
【００７４】
そして、制御部２０２における印刷制御情報管理部２２３は、これまでの処理に応じて得られた印刷データ、印刷物作成装置情報、引取日時情報、仕様情報、認証情報などを含む印刷制御情報を印刷制御情報記憶部２３１に記憶させる（ステップＳ２１１）。
【００７５】
このような処理によって、印刷物作成装置３００は、端末装置１００に対する操作に応じた印刷物作成の注文を受け付け、受け付けた注文を印刷制御情報として管理することができる。
【００７６】
続いて、図７のフローチャートを参照して、印刷物作成管理サーバ２００が、「店舗指定有り」に対応の印刷制御情報に従って印刷物作成装置３００にて印刷物の作成が行われるようにするための処理手順例について説明する。
なお、同図に示す処理は、１つの印刷物作成装置３００を対象として行われる処理である。
【００７７】
印刷物作成管理サーバ２００において、制御部２０２の印刷制御部２２５は、対象の印刷物作成装置３００に対応する印刷制御情報を印刷制御情報記憶部２３１から収集する（ステップＳ３０１）。
次に、印刷制御部２２５は、ステップＳ３０１により収集された印刷制御情報に基づいて印刷物作成スケジュールを作成する（ステップＳ３０２）。印刷物作成スケジュールにおいては、対象の印刷物作成管理サーバ２００を指定している印刷物作成の注文ごとについて、対象の印刷物作成管理サーバ２００により印刷物を作成する時間帯が示される。
印刷制御部２２５は、ステップＳ３０２により作成された印刷物作成スケジュールに従って対象の印刷物作成装置３００に印刷物の作成を指示する（ステップＳ３０３）。
【００７８】
ステップＳ３０３による印刷物の作成の指示にあたり、印刷制御部２２５は、対象の印刷物作成装置３００に対して印刷物作成要求を送信する。印刷物作成要求には、印刷データ、印刷データに対応する仕様情報、印刷物作成の開始時刻などが含まれる。印刷物作成の開始時刻は、印刷物作成スケジュールに基づいて印刷制御部２２５が決定する。
【００７９】
次に、図８を参照して、印刷物作成要求の受信に応じて印刷物作成装置３００が印刷物作成を行うための処理手順例について説明する。
印刷物作成装置３００では、受信した印刷物作成要求を記憶している。印刷物作成要求は、例えばマルチコピー機３０１の制御部３１２が備えるＲＡＭ（Random Access Memory）などに記憶されればよい。
【００８０】
印刷物作成装置３００において、マルチコピー機３０１の制御部３１２は、受信された印刷物作成要求に含まれる開始時刻に至るのを待機する（ステップＳ４０１：ＮＯ）。
制御部３１２は、開始時刻に至ったことを判定すると（ステップＳ４０１：ＹＥＳ）、印刷物作成要求に含まれる印刷データを、同じ印刷物作成要求に含まれる仕様情報に従って、印刷部３１４に印刷させる（ステップＳ４０２）。
この際、制御部３１２は、印刷部３１４により印刷が行われた用紙が用紙搬送部３１６によって製本装置３０２の製本部３２２に搬送されるように制御する。
【００８１】
次に、製本装置３０２の制御部３２１は、印刷物作成要求に含まれる仕様情報に従って製本が行われるように製本部３２２とカバー作成部３２３を制御する（ステップＳ４０３）。
制御部３２１は、ステップＳ４０３によって本として作成された印刷物が印刷物格納装置３０３に搬送されるように制御する。
また、印刷物格納装置３０３の制御部３３１は、搬送されてきた印刷物を版単位格納部３３２１に格納させるための制御を行う（ステップＳ４０４）。
【００８２】
印刷物格納装置３０３の制御部３３１は、ステップＳ４０４により、印刷物が格納された版単位格納部３３２１を示す格納場所情報を含む印刷物作成完了通知を、印刷物作成管理サーバ２００に送信する（ステップＳ４０５）。
印刷物作成管理サーバ２００において、印刷制御情報管理部２２３は、受信された印刷物作成完了通知に含まれる格納場所情報を、印刷制御情報記憶部２３１における対応の印刷制御情報における格納場所情報の領域に格納する。これにより印刷物作成管理サーバ２００により、作成された全ての印刷物の格納場所が管理される。
【００８３】
次に、図９のフローチャートを参照して、引取方法として「店舗指定有り」を指定したユーザによる印刷物の引き取りに応じて印刷物作成管理サーバ２００と印刷物作成装置３００とが実行する処理手順例について説明する。
【００８４】
印刷物を引き取るにあたり、ユーザは、印刷物作成の注文の際に指定したコンビニエンスストアＣＶＳに赴く。ユーザは、コンビニエンスストアＣＶＳに設置されている印刷物作成装置３００に対して、印刷物の引き取りのための操作として、認証のためのユーザキー情報を入力する。
【００８５】
印刷物作成装置３００において、マルチコピー機３０１の制御部３１２は、ユーザキー情報が入力されるのを待機している（ステップＳ５０１：ＮＯ）。そして、ユーザキー情報が入力されると（ステップＳ５０１：ＹＥＳ）、制御部３１２は、入力されたユーザキー情報を印刷物作成管理サーバ２００に送信する（ステップＳ５０２）。
【００８６】
印刷物作成管理サーバ２００は、受信したユーザキー情報を利用して認証処理を実行し、認証結果通知を印刷物作成装置３００に送信する。制御部３１２は、送信された認証結果通知を受信する（ステップＳ５０３）。受信された認証結果通知は、制御部３１２から印刷物格納装置３０３の制御部３３１に転送される。
【００８７】
制御部３３１における引取対応制御部３３１１は、上記のように制御部３１２から転送された認証結果通知が認証成立を示しているか否かについて判定する（ステップＳ５０４）。
認証結果通知が認証成立を示している場合（ステップＳ５０４：ＹＥＳ）、引取対応制御部３３１１は、仕様情報を示す確認画面を、ユーザインターフェース部３１３における表示デバイスに表示させる（ステップＳ５０５）。
【００８８】
ユーザは、確認画面において示される仕様情報により、自分が注文を行ったときに指定した内容と同じであるかどうかを確認する。このように、印刷物の引き取りの際に、ユーザの認証に仕様情報による確認を組み合わせることで、自分のものではない印刷物を誤って引き取ってしまうようなことが防がれる。
そして、ユーザは、今回の認証に応じて受け取ることのできる印刷物について、自分が引き取るべき印刷物であることを確認すると、確認画面に対して、印刷物受け取りの宣言に応じた操作を行う。
一方、自分が引き取るべき印刷物ではなかった場合、確認画面に対して、印刷物受け取りの拒否に応じた操作を行う。
【００８９】
引取対応制御部３３１１は、印刷物受け取りの宣言に応じた操作が行われたか否かについて判定する（ステップＳ５０６）。
印刷物受け取りの宣言に応じた操作が行われた場合（ステップＳ５０６：ＹＥＳ）、引取対応制御部３３１１は、以下の制御を実行する。
つまり、認証結果通知が認証成立を示している場合、認証結果通知には、認証が成立したユーザが注文した印刷物が格納された版単位格納部３３２１を示す格納場所情報が含まれている。
そこで、引取対応制御部３３１１は、認証結果通知に含まれていた格納場所情報が示す版単位格納部３３２１に格納されている印刷物を取出部３３２２に移動させる。これにより、ユーザは、注文した印刷物を引き取ることができる。
【００９０】
なお、認証結果通知が認証不成立を示している場合（ステップＳ５０４：ＮＯ）、あるいは印刷物受け取り拒否の操作が行われた場合（ステップＳ５０６：ＮＯ）、引取対応制御部３３１１は、ステップＳ５０７の処理をスキップする。これにより、印刷物格納部３３２において、版単位格納部３３２１から取出部３３２２に印刷物が移動されることはなく、印刷物が取り出し可能となることはない。
【００９１】
次に、同図を参照して、印刷物作成管理サーバ２００の処理手順例について説明する。
印刷物作成管理サーバ２００においては、ステップＳ５０２により印刷物作成装置３００から送信されたユーザキー情報が受信される。
印刷物作成管理サーバ２００において、制御部２０２の認証処理部２２４は、受信されたユーザキー情報に対応する認証情報を印刷制御情報記憶部２３１が記憶する印刷制御情報から取得する（ステップＳ６０１）。認証情報の取得にあたっては、例えば受信されたユーザキー情報が示すユーザアカウントを含むユーザ情報を含む印刷制御情報を印刷制御情報記憶部２３１から検索し、検索された印刷制御情報から認証情報を取得すればよい。
【００９２】
認証処理部２２４は、受信されたユーザキー情報と、ステップＳ６０１にて取得された認証情報とを利用して認証処理を実行する（ステップＳ６０２）。
認証処理部２２４は、ステップＳ６０２による認証処理の結果、認証が成立したか否かについて判定する（ステップＳ６０３）。
【００９３】
認証が成立した場合（ステップＳ６０３：ＹＥＳ）認証処理部２２４は、認証が成立したことを示し、認証されたユーザに対応する仕様情報と格納場所情報とを含む認証結果通知を印刷物作成装置３００に送信する（ステップＳ６０４）。
一方、認証が不成立であった場合（ステップＳ６０３：ＮＯ）、認証処理部２２４は、認証が不成立であったことを示す認証結果通知を印刷物作成装置３００に送信する（ステップＳ６０５）。
このような処理によって、認証を受けたユーザが印刷物を引き取ることができる。これにより、印刷物の引き取りを確実で安全なものとすることができる。つまり、ユーザが間違えて他人の印刷物を引き取ってしまうようなことが防がれる。また、印刷物を引き取りに行くまでの間に、他人に印刷物を不用意に見られてしまったり、印刷物を盗まれてしまったりするようなこともない。
【００９４】
上記の図７〜図９のフローチャートによる処理は、引取方法として「店舗指定有り」が指定されていた場合の処理である。
ユーザが引取方法として「店舗指定無し」を指定した場合、ユーザは任意のときに任意の場所のコンビニエンスストアＣＶＳに赴く。そして、ユーザは、赴いた先のコンビニエンスストアＣＶＳに設置された印刷物作成装置３００にユーザキー情報を入力して認証を受ける。
認証が成立すれば、ユーザが注文に際してアップロードした印刷データが印刷物作成管理サーバ２００から印刷物作成装置３００に送信され、印刷物作成装置３００にて印刷物が作成される。作成された印刷物は、印刷物格納装置３０３の取出部３３２２まで搬送され、ユーザによって取り出される。
【００９５】
以上説明したように本実施形態の構成によれば、個人や同人などのユーザが自分の所有する端末装置１００により印刷物作成の注文を行うことで、コンビニエンスストアなど街頭の施設で印刷物を引き取ることができる。これにより、例えば個人、同人などのユーザであっても手軽に印刷物を作成できるようになる。
また、本実施形態の印刷物作成装置３００は、製本装置３０２を備えることで、マルチコピー機３０１により印刷された用紙を製本して本としての印刷物を提供することができる。これにより、ユーザは自分で製本作業を行う必要がなくなり、本としての体裁の印刷物を手軽に作成できる。
さらに、本実施形態の印刷物作成装置３００ではカバーも印刷されるために、カバーが装丁された印刷物を手軽に作成できる。
また、本実施形態の印刷物作成システムでは、ユーザが端末装置１００により印刷物の仕様を指定し、印刷物作成装置３００が指定された仕様に従って印刷物を作成する。これにより、ユーザの意図にきめ細かに対応した体裁の印刷物の作成を手軽に行うことができる。
また、本実施形態の印刷物作成システムでは、ユーザが端末装置１００により印刷データの印刷を行わせる（印刷物を作成させる）印刷物作成装置３００を指定し、印刷物は指定された印刷物作成装置により作成される。これにより、ユーザは、自分にとって都合のよい場所にある設備に設置された印刷物作成装置に印刷物を作成し、作成された印刷物を引き取ることができる。
また、本実施形態の印刷物作成システムでは、ユーザが端末装置１００により印刷データの印刷を行わせる印刷物作成装置を指定したうえで、さらに引取日時を指定することができる。
また、本実施形態の印刷物作成装置における印刷装置はマルチコピー機３０１である。つまり、本実施形態の印刷物作成装置３００は、マルチコピー機としての機能も有する。これにより、コンビニエンスストアでは、マルチコピー機と、利用される印刷物作成の注文に応じた印刷物の作成及び保管（格納）を行う印刷物作成装置とを個別に設ける必要がない。
【００９６】
なお、上記の実施形態の説明では、印刷物作成管理サーバ２００が認証処理部２２４により認証処理を行っている。しかし、認証処理部を印刷物作成装置３００に備えることにより、印刷物作成装置３００における認証処理部が印刷物作成管理サーバ２００から認証情報を取得して認証処理を行うようにしてもよい。
【００９７】
また、上記の実施形態の説明では、ユーザが作成した原稿の印刷データをユーザの端末装置１００からネットワークＮＷ経由で送信することによって、印刷物作成管理サーバ２００に印刷データをアップロードしていた。しかし印刷物作成管理サーバ２００への印刷データのアップロードの態様としては上記の例に限定されない。
例えば、著作権フリーの小説などの作品がネットワーク上で公開されている場合において、ネットワーク上の作品の場所（例えばＵＲＬ）を印刷物作成管理サーバ２００に指定する。そして、印刷物作成管理サーバ２００が、指定されたＵＲＬにアクセスすることにより、作品のデータを、アップロードされた印刷データとして取得してもよい。
【００９８】
また、本実施形態のマルチコピー機３０１の印刷方式は、例えばトナー方式であるが、マルチコピー機３０１の印刷方式については特に限定されない。例えば、レーザ印刷方式が採られてもよいし、インクによる印刷を行う方式が採られてもよい。
【００９９】
また、上記の実施形態における説明では、印刷物作成装置３００がコンビニエンスストアＣＶＳに設置される例を示しているが、印刷物作成装置３００が設置される街頭の施設については限定されない。
一例として、印刷物作成装置３００は、宅配便の営業所などに設けられてもよい。そのうえで、例えば宅配便の業者が、ユーザから伝えられたユーザキー情報による認証処理を営業所で行ったうえで、ユーザの希望に応じて印刷物を配送できるようにしてもよい。
また、街頭における施設の例としては、上記のコンビニエンスストアや宅配便の営業所などのほかに、例えば、ビジネスコンビニ、オフィス（事務所、会議室、工場）、商業施設（販売店舗（商店、スーパー、デパート）、サービス店舗（テナント、学習サービス、映画館、飲食店、ネットカフェ））、宿泊施設、公共施設（図書館、美術館、学校）、交通施設（駅、空港）、物流施設、医療施設、イベント施設（スタジアム、ホール）等を挙げることができる。
【０１００】
また、本実施形態の印刷物作成システムが注文を受けて作成可能な印刷物としては、本の他に、例えば新聞社などが発行する号外であってもよい。号外は即時性を有することから配布できる地域には制限がある。これに対して、本実施形態の印刷物作成システムを使用すれば、例えば各地の店舗で号外としての印刷物を作成できるために、地域的な制限無く号外を配布することができる。
【０１０１】
なお、上述の印刷物作成管理サーバ２００または印刷物作成装置３００としての機能を実現するためのプログラムをコンピュータ読み取り可能な記録媒体に記録して、この記録媒体に記録されたプログラムをコンピュータシステムに読み込ませ、実行することにより上述の印刷物作成管理サーバ２００または印刷物作成装置３００としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【符号の説明】
【０１０２】
１００  端末装置、２００  印刷物作成管理サーバ、２０１  通信部、２０２  制御部、２０３  記憶部、２２１  印刷データ取得部、２２２  認証情報取得部、２２３  印刷制御情報管理部、２２４  認証処理部、２２５  印刷制御部、２３１  印刷制御情報記憶部、３００  印刷物作成装置、３０１  マルチコピー機、３０２  製本装置、３０３  印刷物格納装置、３１１  通信部、３１２  制御部、３１３  ユーザインターフェース部、３１４  印刷部、３１５  用紙収納部、３１６  用紙搬送部、３２１  制御部、３２２  製本部、３２３  カバー作成部、３２４  印刷物搬送部、３３１  制御部、３３２  印刷物格納部、３３１１  引取対応制御部、３３２１  版単位格納部、３３２２  取出部、ＣＶＳ  コンビニエンスストア
【図１】
2016095709.tif 000003
【図２】
2016095709.tif 000004
【図３】
2016095709.tif 000005
【図４】
2016095709.tif 000006
【図５】
2016095709.tif 000007
【図６】
2016095709.tif 000008
【図７】
2016095709.tif 000009
【図８】
2016095709.tif 000010
【図９】
2016095709.tif 000011